(57)【要約】【課題】  アスファルト、建造物の外床、氷雪等の地面からの反射光から目を保護しうる帽子を提供する。【解決手段】  頭部を被覆するクラウン部と、上記クラウン部の前方に突出して配設された鍔部を有する帽子であって、不使用時においては上記鍔部の裏面側に密着して配置されると共に、使用時には上記鍔部に対向する位置に配置される照返し防止部を備えた構成とする。【選択図】  図３
0003163584.tif 000002
【実用新案登録請求の範囲】
【請求項１】
頭部を被覆するクラウン部と、上記クラウン部の前方に突出して配設された鍔部を有する帽子であって、不使用時においては上記鍔部の裏面側に密着して配置されると共に、使用時には上記鍔部の下方に配置される照返し防止部を備えることを特徴とする帽子。
【請求項２】
上記照り返し防止部は、上記鍔部に左右両端部が固定されたシート部材から形成されると共に、上記照り返し防止部の後端縁部は円弧状に形成され、
上記シート部材を下方に引き降ろして、上記鍔部と離間して配置した場合に、上記照り返し防止部の後端縁部は、目の下方において、顔面に密着して配置されることを特徴とする請求項１記載の帽子。
【請求項３】
上記シート部材は、可撓性を有する合成樹脂から形成されることを特徴とする請求項１または請求項２記載の帽子。
【請求項４】
上記シート部材を被覆するクッション部材を備えることを特徴とする請求項２または請求項３に記載の帽子
【考案の詳細な説明】
【技術分野】
【０００１】
本考案は、日光等の照り返しによる視界不良を軽減する帽子に関する。
【背景技術】
【０００２】
日光の強い日差しを頭部に長時間受けた場合、頭痛等の日射病の原因となり、特に、紫外線が目に入った場合には、紫外眼炎、白内障等の原因ともなりうる。
このような事態を防止するためには、帽子、サンバイザー及びサングラス等の着用が有効である。
【０００３】
図４に示すように、日差しから頭部を保護しつつ、且つ日光の直射から目を保護することが可能な帽子４０が提案されている。
図４に示すように、上記帽子４０は、クラウン部４１と上記クラウン部４１の前方に突出する鍔部４２と、上記鍔部４２に係合するクリップ部４３と上記クリップ部４３に接続する柄部４４と、上記柄部４４にヒンジ部４５を介して接続するサングラス部４６を備えている。
【０００４】
上記帽子４０は、装着時の日射が強い場合には、上記サングラス部４６を上記ヒンジ部４５を介して顔面側に回動させて、目の前方に配置することによって、上方及び前方からの日光照射に対して目を保護することができる。
また、雨天時等、日差しが無い場合には、上記サングラス部４６を顔面から離間する方向、即ち鍔部４２に向かって回動させることによって、上記サングラス部４６を視界から外すことができる。
更に、サングラス部４６が不要な場合には、上記クリップ部４３と上記鍔部４２との係合を解除することによって、サングラス部４６を取り外すことができる。
【０００５】
上記帽子４０のサングラス部４６は、主に前方及び上方からの日光照射から目を保護するためには有効である。
しかしながら、強い日光照射は、直接照射のみならず地面のアスファルト、建築物の外床、また、冬季においては氷雪等に反射して、下方から目に反射光が入る場合があり、これら反射光によっても、目を損傷する虞があった。
上記帽子４０は、上記反射光からは目を十分に保護できないという不具合を有していた。
【考案の開示】
【考案が解決しようとする課題】
【０００６】
本考案の解決する課題は、アスファルト、建造物の外床、氷雪等の地面からの反射光から目を保護しうる帽子を提供することにある。
【課題を解決するための手段】
【０００７】
上記課題を解決するために、請求項１に記載した考案に係る帽子は、頭部を被覆するクラウン部と、上記クラウン部の前方に突出して配設された鍔部を有し、不使用時においては上記鍔部の裏面側に密着して配置されると共に、使用時には上記鍔部の下方に配置される照返し防止部を備えることを特徴とする。
【０００８】
従って、上記照り返し防止部より、身体下方からの光の照射が上記照り返し防止部によってブロックされ、目に届くことが無い。
また、光の照射が無い場合には、鍔部の裏面に密着させることによって、上記照り返し防止部を収納することができる。
【０００９】
また、請求項２に記載した考案に係る帽子は、上記照り返し防止部は、上記鍔部に左右両端部が固定されたシート部材から形成されると共に、上記照り返し防止部の後端縁部は円弧状に形成され、上記シート部材を下方に引き降ろして、上記鍔部と離間して配置した場合に、上記照り返し防止部の後端縁部は、目の下方において、顔面に密着して配置されることを特徴とする。
【００１０】
上記照り返し防止部の後端縁部が円弧状に形成されているため顔面と隙間無く密着し、身体下方からの光の照射をブロックする。
【００１１】
また、請求項３に記載した考案に係る帽子は、上記シート部材は、可撓性を有する合成樹脂から形成されることを特徴とする。
【００１２】
従って、上記照り返し防止部は、不使用時においては鍔部に密着すると共に、使用時においては、上記鍔部の対向位置において下方に膨出して配置され、後端縁部が目の下方において顔面に密着する。
【００１３】
また、請求項４に記載した考案に係る帽子は、上記シート部材を被覆するクッション部材を備えることを特徴とする。
【００１４】
従って、上記クッション部材が、上記照り返し防止部と顔面との密着部分において顔面を保護する。
【考案の効果】
【００１５】
請求項１の考案にあっては、頭部を被覆するクラウン部と、上記クラウン部の前方に突出して配設された鍔部を有し、不使用時においては上記鍔部の裏面側に密着して配置されると共に、使用時には上記鍔部上記鍔部の下方に配置される照返し防止部を備えることから、アスファルト、建造物の外床、氷雪等の地面からの反射光から目を保護しうる帽子を提供することができる。
また、上記照り返し防止部は、不使用時においては鍔部に密着して配置されることから、使用しない場合でも邪魔にならない。
【００１６】
また、請求項２の考案にあっては、上記照り返し防止部は、上記鍔部に左右両端部が固定されたシート部材から形成されると共に、上記照り返し防止部の後端縁部は円弧状に形成され、上記シート部材を下方に引き降ろして、上記鍔部と離間して配置した場合に、上記照り返し防止部の後端縁部は、目の下方において、顔面に密着して配置されることから、使用時において、顔面に密着し易く、より効果的に照り返しを防止することができる。
更に、請求項３の考案にあっては、上記シート部材は、可撓性を有する合成樹脂から形成されることから、使用時においては、更に顔面に密着し易く、使い勝手が良好になる。
【００１７】
また、請求項４の考案にあっては、上記シート部材を被覆するクッション部材を備えることから、上記照り返し防止部が顔面に密着した場合であっても
顔面を傷つけることが無い。
【図面の簡単な説明】
【００１８】
【図１】本考案の一実施の形態を示し、実施例の形態における帽子の底面図である。
【図２】本考案の一実施の形態を示し、実施例の形態における帽子の下方斜視図である。
【図３】本考案の一実施の形態を示し、実施例の形態における帽子を、照り返し防止部を使用状態にして着用した状態を示す正面図である。
【図４】従来の帽子を着用した状態を示す側面図である。
【考案を実施するための最良の形態】
【００１９】
本考案の実施する形態について、添付図面を用いて説明する。
図１及び図２に示すように、本実施例に係る帽子１０は、頭部を被覆するクラウン部１１と、上記クラウン部１１の前方に突出して配設された鍔部１２を有している。
また、不使用時においては上記鍔部１２の裏面側１３に密着して配置されると共に、図３に示すように、使用時には上記鍔部１２上記鍔部の下方に配置される照返し防止部１４を備えている。
また、図１及び図２に示すように、上記照り返し防止部１４は、上記鍔部１２に左右両端部１４ａ、１４ａが固定されたシート部材１５から形成されると共に、上記照り返し防止部１４の後端縁部１４ｂは円弧状に形成されている。
また、上記シート部材１５は、可撓性を有する合成樹脂から形成され、上記シート部材１５の外面部はクッション部材１６によって被覆されている。
【実施例１】
【００２０】
本実施例の構成について添付図面を用いて説明する。
図１及び図２に示すように、本実施例に係る帽子１０は、所謂キャップ型方であり、半球状のクラウン部１１の前方に略扇型の鍔部１２が突出して配設されている。
【００２１】
また、上記照り返し防止部１４は、略扇形に形成され、両端部をシート部材１５は、スポンジ若しくはゴムの薄いシートからなるクッション部材１６で外面部が被覆されている。
【００２２】
また、上記照り返し防止部１４の左右両端部１４ａ、１４ａは上記鍔部１２の左右両端部に逢着若しくは接着剤等によって固定されている。
【００２３】
上記照り返し防止部１４のシート部材１５は可撓性を有することから、不使用時においては、上記鍔部１２の裏面側１３に密着して密着した状態で保持される。
【００２４】
本実施例の作用について説明する。
図３に示すように、下方からの照り返しを防ぐ場合には、上記帽子１０のクラウン部１１を頭部１７に着用した状態で、上記照り返し防止部１４を下方に引き下げ、目の下側に密着するように配置する。
この際、上記照り返し防止部１４の後端縁部１４ｂが円弧状に形成されているため、顔面のカーブに合わせて上記後端縁部１４ｂが顔面に密着するため、上記照り返し防止部１４が顔面に密着し、地面からの照り返しを確実にブロックし、目を保護することができる。
【００２５】
上記照り返し防止部１４は、可撓性を有するシート部材１５から形成されているため、上記照り返し防止部１４の引き下げ操作、及び戻し操作を容易に行うことができる。
また、シート部材１５を被覆するクッション部材１６によって、肌触りが良く、顔面を傷つけることが無い。
【００２６】
なお、シート部材及びクッション部材の素材は特に限定する必要は無く、柔らかく、肌に悪影響を与えない素材であれば適宜選択することができる。
また、鍔部が前方のみならず、クラウン部の周方向全域に亘って配設される、所謂ハット型の帽子であっても。上記照り返し防止部の配設位置が同一であれば、本実施例と同様の作用及び効果を得ることができる。
【産業上の利用可能性】
【００２７】
本考案は、日光等の照り返しによる視界不良を軽減する帽子に適用可能である。
【符号の説明】
【００２８】
１０  帽子  
１１  クラウン部
１２  鍔部
１３  鍔部の裏面側
１４  照り返し防止部
１４ａ照り返し防止部の左右両端部
１４ｂ照り返し防止部の後端縁部
１５  シート部材
１６  クッション部材
１７  頭部
４０  帽子
４１  クラウン部
４２  鍔部
４３  クリップ部
４４  柄部
４５  ヒンジ部
４６  サングラス部
【図１】
0003163584.tif 000003
【図２】
0003163584.tif 000004
【図３】
0003163584.tif 000005
【図４】
0003163584.tif 000006